(57)【要約】【課題】いずれの位置にあっても所定の情報の表示ができるような低コストかつ省スペースの表示部を有する可動部を備えた電子機器を提供する。【解決手段】電子機器の表示装置５は非表示面５−１を形成するカバー部２１と報知部６−１及び６−２を有する発光部２２と表示面５−２を有する表示部２３とから成り、表示面５−２を閉じる位置と開く位置とに回動自在である。カバー部２１の表示窓２４と表示部２３の表示窓２５とに挟まれて、発光部２２の導光板３１及び導光板３１の両側に一体に形成された報知部６−１及び６−２が配置される。本体装置の制御部にフレキシブル配線２７を介して接続されている基板２８に搭載されているＬＥＤ２９による電子機器の特定の状態を報知するための発光は、報知部６−１及び６−２に二分され、表示窓２４及び２５から外部に放射され、表示装置５が表示面５−２を閉じる位置又は開く位置のいずれに在っても容易に確認される。【選択図】      図５
2006041806.tif 000002
【特許請求の範囲】
【請求項１】
電子機器の本体装置と、
該本体装置に対し移動自在な第２の装置と、
該第２の装置の表裏両面に設けられた表示窓と、
該表示窓のそれぞれに二分されて該表示窓のそれぞれから放射される前記電子機器の状態を表示するための放射光を発光する発光部と、
を備えたことを特徴とする電子機器。
【請求項２】
電子機器の本体装置と、
該本体装置の前面を遮蔽する位置と前記本体装置の背面を遮蔽する位置とを移動自在な第２の装置と、
該第２の装置の前記本体装置の前面を遮蔽する位置で外部に露出される第１の面に設けられた第１の表示窓と、
前記第２の装置の前記本体装置の背面を遮蔽する位置で外部に露出される第２の面に設けられた第２の表示窓と、
前記第１の表示窓と前記第２の表示窓のそれぞれに二分されて前記第１の表示窓と前記第２の表示窓のそれぞれから放射される前記電子機器の特定の状態を表示するための放射光を発光する発光部と、
前記第２の面において前記第２の表示窓の近傍に配置され前記特定の状態に係わる指示を外部から入力するための操作部と、
を備えたことを特徴とする電子機器。
【請求項３】
電子機器の本体装置と、
該本体装置の前面側の位置にあるときは第１の面を表にし、前記本体装置の背面側の位置にあるときは前記第１の面の反対面である第２の面を表にして、２つの位置間を移動自在な第２の装置と、
該第２の装置の前記第２の面に設けられる画像表示部と、
前記第２の装置の前記第１および第２の面にそれぞれ設けられる第１および第２の表示窓と、
該第１および第２の表示窓のそれぞれに二分されて前記第１および第２の表示窓のそれぞれから放射される前記電子機器の特定の状態を表示するための放射光を発光する発光部と、
を備えたことを特徴とする電子機器。
【請求項４】
前記特定の状態は、電源の状態である
ことを特徴とする請求項２又は３記載の電子機器。
【請求項５】
前記特定の状態は、充電の状態である
ことを特徴とする請求項２又は３記載の電子機器。
【請求項６】
カメラの本体装置と、
該本体装置に備えられる撮影レンズ部と、
前記本体装置の前面側の位置にあるときは前記撮影レンズ部を保護して第１の面を表にし、前記本体装置の背面側の位置にあるときは前記撮影レンズ部を開放して前記第１の面の反対面である第２の面を表にして、前記前面側の位置と前記背面側の位置間を移動自在な第２の装置と、
該第２の装置の前記第２の面に設けられる画像表示部と、
前記第２の装置の前記第１および第２の面にそれぞれ設けられる第１および第２の表示窓と、
該第１及び第２の表示窓のそれぞれに二分されて前記第１及び第２の表示窓のそれぞれから放射される前記カメラの特定の状態を表示するための放射光を発光する発光部と、
を備えたことを特徴とするカメラ。
【請求項７】
電子機器と該電子機器に充電する充電装置からなる電子機器システムであって、
前記電子機器は、電子機器の本体装置と、該本体装置の前面側の位置にあるときは第１の面を表にし、前記本体装置の背面側の位置にあるときは前記第１の面の反対面である第２の面を表にして、前記前面側の位置と前記背面側の位置間を移動自在な第２の装置と、該第２の装置の前記第２の面に設けられる画像表示部と、前記第２の装置の前記第１及び第２の面にそれぞれ設けられる第１及び第２の表示窓と、該第１及び第２の表示窓のそれぞれに二分されて前記第１及び第２の表示窓のそれぞれから放射される前記電子機器の充電の状態を表示するための放射光を発光する発光部と、を備え、
前記充電装置は、前記第２の装置が前記本体装置の前面側の位置にあるときは前記第２の装置の第１の面を上にした姿勢で前記電子機器を収納して充電し、前記第２の装置が前記本体装置の背面側の位置にあるときは前記第２の装置の前記第２の面を上にした姿勢で収納して充電する、
ことを特徴とする電子機器システム。
【発明の詳細な説明】
【技術分野】
【０００１】
本発明は、一部の装置を本体装置に対して移動自在に備え、移動自在ないずれの位置にあっても移動自在な部分により装置の状態を報知する表示部が設けられた電子機器に関する。
【背景技術】
【０００２】
従来、装置の一部が開閉可能に構成される電子機器が種々実売されている。例えば、表示部が折りたたみ式の携帯電話や無線装置、表示部が可動なデジタルカメラ等がある。
中でも、可動部分に表示部を備え、この表示部を保護のために可動部分を閉じたときに隠れる可動部分の一方の面に表示部を備える形式のものは、例えば携帯電話に多く見られる。
【０００３】
ところで、可動部分を閉じた状態でも時計とか着信とか特定の表示が必要になるので、そのために可動部分の両面に例えばＬＣＤ（liquid crystal display：液晶表示装置）等からなる表示部を備えたものが多い。しかし二つのＬＣＤを内蔵すると可動部分が大きくなり携帯性を阻害するという問題が発生する。そこで、両面表示タイプのＬＣＤを搭載した携帯無線などが提案されている。（例えば、特許文献１参照。）
また、デジタルカメラでは、レンズ部を保護する表示ユニットのレンズ保護位置で外部に露出される面に表示面が設けられていて、表示ユニットがカメラ上部に跳ね上げられた位置では、レンズ部が開放され、かつ、表示面が撮影者側に向いて画像確認が出来るように構成されたデジタルカメラが提案されている。これは、レンズ保護位置とレンズ開放位置のいずれの位置でも表示が可能で、ＬＣＤが外部から隠されない構造となっている。（例えば、特許文献２参照。）
さらに、ＬＣＤ等の画像表示部は消費電力が少なくないために、デジタルカメラや携帯電話のように電源の容量に制限のある電子機器では、充電時のような不使用時には節電のためにＬＣＤを停止させ、他の例えばＬＥＤ（light emitting diode）のような表示部によって装置の状態を表示させるように制御する製品もある。
【特許文献１】特開２００１−２１１２４０号公報（［要約］、図３）
【特許文献２】特開平１１−２５８６５７号公報（［要約］、図１）
【発明の開示】
【発明が解決しようとする課題】
【０００４】
しかしながら、前述した通りＬＣＤ等の画像表示部を２つも搭載するのは装置全体の寸法が大きくなるので好ましくない。そうかといって、特許文献１のように両面表示のＬＣＤを採用したのでは製造コストが上昇して問題がある。
【０００５】
また、特許文献２のデジタルカメラでは、表示ユニットの表示面がレンズ保護位置とレンズ開放位置のいずれの位置でも外部に露出されて常に表示が可能となっているが、これではＬＣＤが保護されないという問題がある。
【０００６】
また、ＬＣＤとは別にＬＥＤを備える方法は、ＬＥＤ装置の表示を表示ユニットの２通りの位置でいずれの面からも見えるようにするには、ＬＥＤ装置を複数備えなければならないから、これもまた面倒である。
【０００７】
本発明の課題は、上記従来の実情に鑑み、いずれの位置にあっても所定の情報の表示ができるような低コストかつ省スペースの表示部を有する可動部を備えた電子機器を提供することである。
【課題を解決するための手段】
【０００８】
先ず、第１の発明の電子機器は、電子機器の本体装置と、該本体装置に対し移動自在な第２の装置と、該第２の装置の表裏両面に設けられた表示窓と、該表示窓のそれぞれに二分されて該表示窓のそれぞれから放射される上記電子機器の状態を表示するための放射光を発光する発光部と、を備えて構成される。
【０００９】
次に、第２の発明の電子機器は、電子機器の本体装置と、該本体装置の前面を遮蔽する位置と上記本体装置の背面を遮蔽する位置とを移動自在な第２の装置と、該第２の装置の上記本体装置の前面を遮蔽する位置で外部に露出される第１の面に設けられた第１の表示窓と、上記第２の装置の上記本体装置の背面を遮蔽する位置で外部に露出される第２の面に設けられた第２の表示窓と、上記第１の表示窓と上記第２の表示窓のそれぞれに二分されて上記第１の表示窓と上記第２の表示窓のそれぞれから放射される上記電子機器の特定の状態を表示するための放射光を発光する発光部と、上記第２の面において上記第２の表示窓の近傍に配置され上記特定の状態に係わる指示を外部から入力するための操作部と、を備えて構成される。
【００１０】
更に、第３の発明の電子機器は、電子機器の本体装置と、該本体装置の前面側の位置にあるときは第１の面を表にし、上記本体装置の背面側の位置にあるときは上記第１の面の反対面である第２の面を表にして、２つの位置間を移動自在な第２の装置と、該第２の装置の上記第２の面に設けられる画像表示部と、上記第２の装置の上記第１および第２の面にそれぞれ設けられる第１および第２の表示窓と、該第１および第２の表示窓のそれぞれに二分されて上記第１および第２の表示窓のそれぞれから放射される上記電子機器の特定の状態を表示するための放射光を発光する発光部と、を備えて構成される。
【００１１】
上記第２又は第３の発明の電子機器において、上記特定の状態は、例えば電源の状態であり、また、例えば充電の状態である。
続いて、第４の発明のカメラは、カメラの本体装置と、該本体装置に備えられる撮影レンズ部と、上記本体装置の前面側の位置にあるときは上記撮影レンズ部を保護して第１の面を表にし、上記本体装置の背面側の位置にあるときは上記撮影レンズ部を開放して上記第１の面の反対面である第２の面を表にして、上記前面側の位置と上記背面側の位置間を移動自在な第２の装置と、該第２の装置の上記第２の面に設けられる画像表示部と、上記第２の装置の上記第１および第２の面にそれぞれ設けられる第１および第２の表示窓と、該第１及び第２の表示窓のそれぞれに二分されて上記第１及び第２の表示窓のそれぞれから放射される上記カメラの特定の状態を表示するための放射光を発光する発光部と、を備えて構成される。
【００１２】
また、第５の発明の電子機器システムは、電子機器と該電子機器に充電する充電装置からなる電子機器システムであって、上記電子機器は、電子機器の本体装置と、該本体装置の前面側の位置にあるときは第１の面を表にし、上記本体装置の背面側の位置にあるときは上記第１の面の反対面である第２の面を表にして、上記前面側の位置と上記背面側の位置間を移動自在な第２の装置と、該第２の装置の上記第２の面に設けられる画像表示部と、上記第２の装置の上記第１及び第２の面にそれぞれ設けられる第１及び第２の表示窓と、該第１及び第２の表示窓のそれぞれに二分されて上記第１及び第２の表示窓のそれぞれから放射される上記電子機器の充電の状態を表示するための放射光を発光する発光部と、を備え、上記充電装置は、上記第２の装置が上記本体装置の前面側の位置にあるときは上記第２の装置の第１の面を上にした姿勢で上記電子機器を収納して充電し、上記第２の装置が上記本体装置の背面側の位置にあるときは上記第２の装置の上記第２の面を上にした姿勢で収納して充電する、ように構成される。
【発明の効果】
【００１３】
本発明の電子機器又はカメラによれば、可動部の第１及び第２の表示窓のそれぞれに二分されてそれら第１及び第２の表示窓のそれぞれから放射される電子機器又はカメラの電源状態又は充電状態を表示するための放射光を発光する一つの発光部を備えるので、可動部が閉じられた位置では閉じ位置で外部に露出される面側に設けられる表示窓によって表示がなされ、可動部が開けられた位置では閉じ位置で外部に露出される面の逆面に設けられる表示窓によって表示がなされるので、簡単な構成で可動部の位置に関わらず表示ができ、これにより、電子機器又はカメラの使用者が可動部の位置に関わらず装置の電源状態を容易に判断できるようになって便利である。
【００１４】
また、本発明の電子機器システムによれば、画像表示部を閉じた状態でも開いた状態でも充電ができると共に、閉じた状態又は開いた状態のいずれでも充電中であることを表示することが容易に可能となるので便利である。
【発明を実施するための最良の形態】
【００１５】
以下、本発明の実施の形態を図面を参照しながら説明する。
【実施例１】
【００１６】
図１の上は、実施例１としてのカメラの上面図であり、図１の下は、その正面図である。尚、図１は、カメラの表示装置が閉成位置に畳まれているときのカメラの全体図である。また、図１に示すカメラは、電子機器の一例としてデジタルカメラを取り上げて示している。
【００１７】
図１に示すように、カメラ１は、カメラ本体２の正面の図の左側ほぼ１／３（幅方向の寸法で）に把持部３が形成され、把持部３の上部にはセルフタイマ用報知窓４が設けられている。またカメラ本体２の右側ほぼ２／３を、表示装置５がその背面（非表示面５−１）をカメラ正面方向に見せて覆っており、その表示装置５の上部にはカメラの種々の状態を点灯又は点滅報知するための報知部６−１が設けられ、表示装置５の下部に２つの平行な支持軸からなるダブルヒンジ７が取り付けられている。また、カメラ１の上面には、セルフタイマ用報知窓４の上方に当たる位置に、ズームレバー８とシャッタボタン９が配置され、その右方にリモコン用受光窓１１が配置されている。
【００１８】
図２は、カメラの表示装置が下位置に回動しているときのカメラの全体図であり、右下は正面図、左は接続部が設けられている方の側面図、右上は上面図である。
図２に示すように、表示装置５がダブルヒンジ７を支点にして下方位置に回動すると、カメラ本体２の開成された前面上部左側（カメラ全体としてはほぼ中央）に撮影レンズ窓１３、上部右端にストロボ窓１４、その下にマイク１５が、それぞれ現われる。また、表示装置５がその表示面５−２を前面に向けて配置される。表示装置５は液晶表示装置から成り、表示面５−２は液晶表示面である。
【００１９】
表示装置５の表示面５−２の左端やや下方に表示装置５とカメラ本体２との当接部１２が設けられ、表示面５−２の下方には、図１の報知部６−１と対向する位置に報知部６−２が配置され、その右側に電源ボタン１６が設けられている。
【００２０】
尚、報知部６−１及び６−２は、詳しくは後述するが、図１のように表示装置５が畳まれているときでも図２のように開かれているときでも、報知光を外部に放散する。すなわち、一つの光源から出た報知光が表示装置５の表裏両面方向に二分されて報知部６−１及び６−２から放射される。また、図２のように表示装置５が開かれると、ダブルヒンジ７の回動が検出され、これに応じてカメラ電源が起動され、光源が点灯され、所定の報知光が表示装置５の表裏両面方向に放射される。これによりカメラが起動したことが外部から認知される。
【００２１】
尚、この図２に示す表示装置５の開成位置でのカメラ１の使用方法は、カメラ１の使用者が自分で自分の居る方向を撮影するような場合に、表示装置５の表示面５−２をモニタとして見ながら用いられる方法である。
【００２２】
図３は、図２の右下に示す状態のカメラを背面から見た図である。
図４は、上記の表示装置５を下位置から更にカメラ１の裏側に回り込むように回動させて表示装置５の背面（非表示面５−１）をカメラ本体２の裏面に当接させた状態を示す図である。この図４は、このカメラ１の撮影時の使用態様を示している。また、図４には図１及び図２と同一の構成部分には図１及び図２と同一の番号を付与して示している。
【００２３】
図４に示すように、カメラ１の使用に当たって表示装置５をカメラ１の裏側に回り込ませてカメラ１の背面のほぼ２／３を覆い隠すように表示面５−２をカメラ１の背面に配置したとき、カメラ１の背面の残る１／３の面に、モードダイヤル１７、十字ボタン１８、その他の操作ボタン１９（１９−１、１９−２、１９−３）が配設されており、表示装置５の表示面５−１に表示される表示画面を見ながら、種々の操作を行うことができるようになっている。そして、撮影時には、把持部３を手に持って、表示面５−２に映し出される映像を確認しながらシャッタボタン９を押して撮影を行うことが出来る。カメラ起動中は、報知部６−２に表示させることで電源オン中であることを示すことができる。また、表示装置５が開成された状態でも、電源ボタン１６の操作によって電源オン・オフの切り替えを行うことができる。
【００２４】
図５は、表示装置５の報知部近傍の分解斜視図である。図５に示すように、表示装置５は、非表示面５−１を形成するカバー部２１と、報知部６−１及び６−２を有する発光部２２と、表示面５−２を有する表示部２３とから成る。
【００２５】
カバー部２１の下端部には非表示面側の表示窓２４が穿設されており、表示部２３の表示面５−２の下方にも表示面側の表示窓２５が穿設され、その表示窓２５に隣接して、電源ボタン孔２６が形成されている。
【００２６】
これらカバー部２１の表示窓２４と表示部２３の表示窓２５に挟まれるようにして発光部２２が配置される。発光部２２は、本体装置に制御部にフレキシブル配線２７を介して接続されている基板２８、この基板２８に搭載された３個のＬＥＤ２９、基板２８からフレキシブル配線２７接続部の反対方向に延設された導光板３１、この導光板３１の両側に一体に形成された表示ブロックからなる報知部６−１及び６−２からなる。
【００２７】
この表示装置５を組み上げると、一方では表示部２３の報知部６−１がカバー部２１の表示窓２４に嵌入し、他方では同じく表示部２３の報知部６−２が表示面５−２の表示窓２５に嵌入する。
【００２８】
ＬＥＤ２９が発光すると、その放射光は導光板３１に導かれ、報知部６−１及び６−２に二分されて、表示窓２４及び２５を介して外部に放射される。なお放射光の配分比は厳密に１：１でする必要はない。
【００２９】
図６は、充電のためにスタンド装置３２にカメラ１を装着する方法が２通りあることを説明する図である。尚、スタンド装置３２は、充電だけでなく装着されたカメラ１をパーソナルコンピュータやその周辺機器に接続するコネクタも備えているが、本発明の要部ではないので、ここではその構成の詳細な説明は省略する。
【００３０】
図６の右上下に示すスタンド装置３２について簡単に説明すると、スタンド装置３２は収納部３６の後方の側壁を形成する平面部３６−１を有し、この平面部３６−１とほぼ同一面上に回動面３３−１を形成されている円筒形状の回動部３３を平面部３６−１の中央に備えている。
【００３１】
回動部３３は、円筒形状の端面を回動面３３−１とし、この回動面３３−１が、カメラ１が収納部３６に収納されたときカメラ接続部３７（図６の左下の図参照）に対向するように、スタンド装置３２に配置されている。また、回動部３３は、円筒形状の周面を操作部としてその一部をスタンド装置３２の上部に露出するように配置されている。
【００３２】
そして、この回動部３３の回動面３３−１には、カメラ１のカメラ接続部３７と電気的に接続するためのスタンド接続部３４が突設されている。このスタンド接続部３４は、回動部３３の回動面３３−１の回動中心から半径方向にややずれた位置に設けられている。
【００３３】
これにより、収納部３６に収納されたカメラ１の表向き又は裏返しの向きに応じて収納部３６内での位置が異なるカメラ１のカメラ接続部３７に対応して、使用者の操作による回動部３３の１８０°方向の回動により、図６の右上又は右下に示すように２つの位置に置き換わる。
【００３４】
図６の左上に示す図は、図４に示した状態のカメラ１を表示装置５の表示面５−２を上に向けて寝かせた状態を示しており、図６の右上に示す図は、スタンド装置３２の回動部３３を回動させて、スタンド接続部３４と接続禁止部材３５との位置関係を、表示装置５の表示面５−２を上に向けて寝かせたカメラ１の接続部３７に合うように変位させた状態を示している。
【００３５】
この状態で、スタンド装置３２の収納部３６に対し、カメラ１を図６の矢印ｂで示すように移動させて、図６の右上に破線で示すようにカメラ１をスタンド装置３２に装着すると、接続禁止部材３５の先端が、カメラ本体２の段差部２−１に入り込むと共に、スタンド接続部３４がカメラ接続部３７に連結される。
【００３６】
このようにカメラ１を裏向きにスタンド装置３２に装着すると、ＤＣ電源コネクタ３２を介してＤＣ電源から充電を受けている最中でも、表示装置５の表示面５−２の表示画面を見ながら、モードダイヤル１７や十字ボタン１８あるいはその他の操作ボタン１９（図４参照）を操作して、種々の処理を行うことができる。
【００３７】
また、電源ボタン１６による電源のオン・オフを行ったり、表示窓２５を介して報知光を放射する報知部６−２の点灯状態を確認することができる。
また、図６の左下に示す図は、図１に示した状態のカメラ１を正面を上に向けて寝かせた状態を示している。他方、図６の右下に示すスタンド装置３２は、その回動部３３を回動させて、スタンド接続部３４と接続禁止部材３５との位置関係を、正面を上に向けて寝かせたカメラ１の接続部３７に合うように変位させた状態を示している。
【００３８】
この状態で、スタンド装置３２の収納部３６に対し、カメラ１を図６の矢印ｃで示すように移動させて、図６の右下に破線で示すようにカメラ１をスタンド装置３２に装着すると、接続禁止部材３５の先端が、この場合もカメラ本体２の段差部２−１に入り込むと共に、スタンド接続部３４がカメラ接続部３７に連結される。
【００３９】
このように表示装置５の表示面５−２を閉じた状態では、カメラ１の電源は自動的に切断されており、この状態でカメラ１を表向きにスタンド装置３２に装着すると、カメラ１の内蔵電池への充電が開始され、表示窓２４を介して報知光を放射する報知部６−１の点灯状態により充電状態を確認することができる。また、カメラ１上面に設けられたリモコン受光窓１１は、カメラ１の表向き裏向きのいずれの向きでもスタンド装置３２から露出されるので、リモコン操作が可能となる。
【００４０】
図７は、カメラ１がスタンド装置３２に正しく装着されたときの電子機器システムとしてのカメラシステム全体のブロック図である。同図に示すように、先ず、カメラ１は、本体操作部３８と、この本体操作部３８に接続するＣ−ＣＰＵ（カメラＣＰＵ(central-processing-unit））３９と、このＣ−ＣＰＵ３９の信号入出力ポートにバス４１を介して接続された撮像部４２、メモリカード４３、画像処理部４４、及びＩＦ（インターフェース）部４５を備えている。また、バス４１には図５に示したフレキシブル配線２７が接続されている。
【００４１】
Ｃ−ＣＰＵ３９は、不図示のプログラムメモリを内蔵し、そのプログラムメモリに格納されているプログラムにしたがって、本体操作部３８を介してカメラ使用者から入力される指示命令を受けてカメラ１全体を制御する。
【００４２】
上記の表示装置５、メモリカード４３、及び画像処理部４４は、バス４１を介して相互にデータの入力又は出力が可能なように構成されている。また、撮像部４２には撮像素子４６が接続され、画像処理部４４には画像信号をＮＴＳＣ等のテレビ信号に変換するビデオ回路部４７が接続されている。
【００４３】
上記の撮像素子４６にはレンズ４８により撮影された映像が結像する。撮像素子４６は、撮像部４２により駆動制御され、上記結像の各画素ごとの光量を電気信号に変換して画像処理部４４に出力する。画像処理部４４は、撮像素子４６から入力する電気信号を増幅し、アナログ／デジタル変換を行い、その増幅とデジタル変換を行った画像データをメモリカード４３に出力する。
【００４４】
画像表示部５−２は、表示装置５の表示を駆動制御し、液晶表示装置に撮影画像や操作メニューなどを表示する。
上記のＩＦ部４５にはカメラ接続部３７、スタンド装置３２のスタンド接続部３４、及びスタンド装置３２のＵＳＢコネクタ５１を介して、外部の例えばＰＣ（パーソナルコンピュータ）５２等が接続される。これにより、カメラ１のメモリカード４３に記憶されている撮影済み画像データをＰＣ５２に送信してＰＣ５２に記憶させ、またＰＣ５２の表示装置で画像を表示させることができる。また、ＰＣ５２に既に記憶されている撮影画像を呼び出して確認することもできる。
【００４５】
また、ビデオ回路部４７には、カメラ接続部３７、スタンド装置３２のスタンド接続部３４、及びスタンド装置３４のビデオアウト端子５３を介して、例えばＴＶ（テレビ）５４が接続される。これにより、カメラ１で撮影した画像をＴＶ５４の大型画面に表示させて見ることができる。
【００４６】
本体操作部３８は、図１乃至図４に示したように、各種の入力ボタンやスイッチを備え、これらの入力ボタンやスイッチを介して外部（カメラ使用者）から入力されるイベント情報を制御部に通知する。パワー釦１６の操作によって、カメラ１の電源のオン・オフが制御される。
【００４７】
充電部５５の出力部には内蔵の電池５６が接続され、充電部５５の入力部には、カメラ接続部３７、スタンド装置３２のスタンド接続部３４、及びスタンド装置３２のＤＣ電源コネクタ５７を介してＡＣ／ＤＣコンバータ５８の出力側コネクタが接続される。ＡＣ／ＤＣコンバータ５８の入力側コネクタは例えば宅内商用電源コネクタに接続される。これにより、電池５６が充電される。
【００４８】
Ｃ−ＣＰＵ３９は、電源の状態、あるいは充電の状態等に応じて、バス４１及びフレキシブル配線２７を介してパワー表示用ＬＥＤ（図５に示したＬＥＤ２９）を所定の点灯方法で発光駆動する。これにより、カメラ１が図６のいずれの向きで充電されていても、充電状態を確認することができる。
【００４９】
尚、スタンド装置３２には、上記のスタンド接続部３４のほかに、更に第２のスタンド接続部５９が設けられている。この第２のスタンド接続部５９は、外部配線を介さずに他の電子機器のコネクタに直接電気的に接続するためのものであるが、ここでは説明を省略する。
【００５０】
また、上述した実施例では、いずれも電子機器としてカメラを取り上げて説明しているが、これに限ることなく、電子機器としては、例えばカメラ付き携帯電話あるいはカメラ付き電子手帳などのカメラ付き携帯型の電子機器の全てに適用できることは言うまでも無い。
【００５１】
また、上記の実施例では、報知部６−１、６−２の点灯状態については、特には説明しなかったが、例えば、電源に関する表示としては、表示装置５を開け始めてから開放位置になるまでは、電源起動表示として例えば２Ｈｚの低速で点滅表示させ、その後の開放状態では、点灯駆動のデューティ比を変えて低輝度で連続表示させるようにしてもよい。
【００５２】
また、充電に関する表示としては、表示装置５を閉めた状態での充電と開けた状態での充電中は、いずれも例えば２Ｈｚの低速で点滅表示させ、充電が終了したら消灯させる。また充電エラーが発生したら例えば１５Ｈｚで高速点滅させるなど、種々の点灯方法を採用することができる。
【図面の簡単な説明】
【００５３】
【図１】上は実施例１としてのカメラの上面図、下はその正面図である。
【図２】右下はカメラの表示装置が下位置に回動しているときの正面図、左はその接続部が設けられている方の側面図、右上はその上面図である。
【図３】図２の右下に示す状態のカメラを背面から見た図である。
【図４】表示装置を下位置から更にカメラ本体の裏側に回り込むように回動させて表示装置の非表示面側をカメラ本体の裏面に当接させた状態を示す図である。
【図５】表示装置の報知部近傍の分解斜視図である。
【図６】充電のためにスタンド装置にカメラを装着する方法が２通りあることを説明する図である。
【図７】カメラがスタンド装置に正しく装着されたときの電子機器システムとしてのカメラシステム全体のブロック図である。
【符号の説明】
【００５４】
１      カメラ
２      カメラ本体
３      把持部
４      セルフタイマ用報知窓
５      表示装置（液晶表示装置）
５−１  非表示面
５−２  表示面
６−１、６−２  報知部
７      ダブルヒンジ
８      ズームレバー
９      シャッタボタン
１１    リモコン用操作部
１２    当接部
１３    撮影レンズ窓
１４    ストロボ窓
１５    マイク
１６    電源ボタン
１７    モードダイヤル
１８    十字ボタン
１９（１９−１、１９−２、１９−３）  操作ボタン
２１    カバー部
２２    発光部
２３    表示部
２４、２５  表示窓
２６    電源ボタン孔
２７    フレキシブル配線
２８    基板
２９    ＬＥＤ
３１    導光板
３２    スタンド装置
３３    回動部
３３−１  回動面
３４    スタンド接続部
３５    接続禁止部材
３６    収納部
３６−１  平面部
３７    カメラ接続部
３８    本体操作部
３９    Ｃ−ＣＰＵ（カメラＣＰＵ(central-processing-unit））
４１    バス
４２    撮像部
４３    メモリカード
４４    画像処理部
４５    ＩＦ（インターフェース）部
４６    撮像素子
４７    ビデオ回路部
４８    レンズ
５１    ＵＳＢコネクタ
５２    ＰＣ（パーソナルコンピュータ）
５３    ビデオアウト端子
５４    ＴＶ（テレビ）
５５    充電部
５６    電池
５７    ＤＣ電源コネクタ
５８    ＡＣ／ＤＣコンバータ
５９    第２のスタンド接続部
【図１】
2006041806.tif 000003
【図２】
2006041806.tif 000004
【図３】
2006041806.tif 000005
【図４】
2006041806.tif 000006
【図５】
2006041806.tif 000007
【図６】
2006041806.tif 000008
【図７】
2006041806.tif 000009